(57)【要約】【課題】  より確実、かつ容易に、デジタル放送受信機の受信可能チャンネル自動設定をすることができるデジタル放送受信機、受信チャンネル設定システム、受信チャンネル設定方法及び受信チャンネル設定プログラムを記録した記録媒体を提供する。【解決手段】  地上波デジタル放送受信機１００は、地上波系アンテナ１、フロントエンド部１１０、トランスポート部１２０、ＭＰＥＧデコード部１３０、ＣＰＵ１０、不揮発性補助記憶装置１３、ＬＡＮポート１６、及びモデムポート１７を備え、ＣＰＵ１０は、地上波デジタル放送信号の受信状況を検出する受信状況検出処理と、検出した受信状況データを不揮発性補助記憶装置１３に保存する保存処理、不揮発性補助記憶装置１３に保存された受信状況データや自機の設置場所及び機種情報を示す受信条件データを集計センタ２０に送信し、また集計センタ２０から受信調査要求や受信可能局情報を受信する通信処理を実行する。【選択図】    図２
2005252965.tif 000002
【特許請求の範囲】
【請求項１】
デジタル放送を受信するデジタル放送受信機において、
デジタル放送信号の受信状況を検出する受信状況検出手段と、
検出した前記受信状況データを保存する保存手段と、
前記保存手段に保存された前記受信状況データを含むデータを、放送局及び受信局に関するデータベースとして蓄積する集計センタに送信する送信手段と
を備えることを特徴とするデジタル放送受信機。
【請求項２】
前記集計センタから受信可能な放送局データを受信する受信手段をさらに備えることを特徴とする請求項１記載のデジタル放送受信機。
【請求項３】
前記保存手段は、自機の設置場所及び機種情報を示す受信条件データと、前記受信手段により受信した前記放送局データとを保存することを特徴とする請求項１又は２に記載のデジタル放送受信機。
【請求項４】
前記保存手段は、受信機本体から着脱可能な記録媒体を有し、前記記憶媒体にデータを保存することを特徴とする請求項１乃至３のいずれか一項に記載のデジタル放送受信機。
【請求項５】
前記送信手段は、インターネット等のネットワーク、又は電話回線によりデータを前記集計センタに送信することを特徴とする請求項１記載のデジタル放送受信機。
【請求項６】
前記送信手段は、近隣に設置された他のデジタル放送受信機にデータを転送するローカル転送手段を備え、
前記ローカル転送手段は、前記保存手段に保存されたデータを前記他のデジタル放送受信機に転送することを特徴とする請求項１又は５に記載のデジタル放送受信機。
【請求項７】
前記保存手段に保存されたデータを表示又は音声によりユーザに通知する通知手段をさらに備えることを特徴とする請求項１記載のデジタル放送受信機。
【請求項８】
前記通知手段は、前記保存手段に保存されたデータに基づいてユーザに受信可能放送局に対する最適なアンテナ方向を通知することを特徴とする請求項１、３、４又は７のいずれか一項に記載のデジタル放送受信機。
【請求項９】
前記受信状況検出手段は、ユーザ設定による実行タイミング、又は外部からの要求に応える実行タイミングで受信状況を検出することを特徴とする請求項１記載のデジタル放送受信機。
【請求項１０】
前記受信状況は、受信周波数、受信時刻、受信電波の電界強度、エラーレート、又は放送局名を含むことを特徴とする請求項１又は９に記載のデジタル放送受信機。
【請求項１１】
前記デジタル放送信号は、地上波デジタル放送信号であることを特徴とする請求項１記載のデジタル放送受信機。
【請求項１２】
デジタル放送を受信するデジタル放送受信機と、前記デジタル放送受信機が保存するデータを集計する集計センタとからなる受信チャンネル設定システムであって、
前記集計センタは、放送局及び受信局に関するデータを蓄積するデータベースを備え、
前記デジタル放送受信機は、デジタル放送信号の受信状況を検出する受信状況検出手段と、
検出した前記受信状況データを保存する保存手段と、
前記保存手段に保存された前記受信状況データを含むデータを前記集計センタに送信する送信手段と、
前記集計センタから受信可能な放送局データを受信する受信手段と
を備えることを特徴とする受信チャンネル設定システム。
【請求項１３】
前記集計センタは、前記デジタル放送受信機に対して前記受信状況検出を要求することを特徴とする請求項１２記載の受信チャンネル設定システム。
【請求項１４】
前記集計センタは、前記デジタル放送受信機に対して前記保存手段に保存されたデータ送信を要求することを特徴とする請求項１２記載の受信チャンネル設定システム。
【請求項１５】
前記集計センタは、前記デジタル放送受信機に対して受信可能な放送局データを送信することを特徴とする請求項１２記載の受信チャンネル設定システム。
【請求項１６】
前記集計センタは、前記デジタル放送受信機からの前記放送局データ送信要求を受付けることを特徴とする請求項１２記載の受信チャンネル設定システム。
【請求項１７】
前記集計センタは、前記デジタル放送受信機からの前記放送局データ送信要求を受付けるとともに、該デジタル放送受信機の設置場所に該当するデータがない場合、該デジタル放送受信機の設置場所に近い近隣設置受信機のデータ、又は近隣の放送局所在地を基に受信可能な放送局データを推測し、該推測したデータを前記デジタル放送受信機に送信することを特徴とする請求項１２記載の受信チャンネル設定システム。
【請求項１８】
前記集計センタのデータベースは、地形データを含む地図データを蓄積することを特徴とする請求項１２記載の受信チャンネル設定システム。
【請求項１９】
デジタル放送受信機の受信チャンネル設定方法であって、
前記デジタル放送受信機では、デジタル放送信号の受信状況を検出するステップと、
前記検出した受信状況、受信条件データ及び受信可能な放送局データを保存するステップと、
前記保存されたデータを集計センタに送信するステップと、
前記集計センタからのデータを受信して前記保存された放送局データを更新するステップと、
前記更新された放送局データに基づいて、ユーザに受信可能放送局に対する最適なアンテナ方向を通知するステップと
を有することを特徴とする受信チャンネル設定方法。
【請求項２０】
デジタル放送受信機の受信チャンネル設定方法であって、前記デジタル放送受信機では、デジタル放送信号の受信状況を検出するステップと、前記検出した受信状況、受信条件データ及び受信可能な放送局データを保存するステップと、前記保存されたデータを集計センタに送信するステップと、前記集計センタからのデータを受信して前記保存された放送局データを更新するステップと、前記更新された放送局データに基づいて、ユーザに受信可能放送局に対する最適なアンテナ方向を通知するステップとをコンピュータに実行させるためのプログラムを記録したことを特徴とするコンピュータ読み取り可能な記録媒体。
【請求項２１】
請求項１乃至１１のいずれか一項に記載のデジタル放送受信機が備える各手段をコンピュータに実行させるためのプログラム。
【発明の詳細な説明】
【技術分野】
【０００１】
本発明は、デジタル放送を受信するデジタル放送受信機、受信チャンネル設定システム、受信チャンネル設定方法及び受信チャンネル設定プログラムを記録した記録媒体に関し、特に、地上波デジタル放送受信機の受信可能チャンネル自動設定の改良に関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。
【０００３】
２００３年末より首都圏、近畿圏、中京圏の一部の地域において地上波デジタル放送がはじまり、地上波デジタル放送、ＢＳデジタル放送、１１０℃ＣＳ放送、地上アナログ放送、ＢＳアナログ放送等、複数の放送を受信可能なデジタル放送アナログ放送複合受信機が市場に登場した。
【０００４】
特許文献１には、あらかじめ受信機本体に登録済みの地域毎受信データベースを持ち、受信機に対して地域指定することでのみ設置地域の受信可能チャンネルデータを受信機に設定する受信機が記載されている。
【０００５】
また、特許文献２には、受信機が受信可能な周波数範囲をスキャンする方法でのみ設置地域の受信可能チャンネルデータを受信機に設定する受信チャンネルオートプリセット装置が記載されている。
【０００６】
また、特許文献３には、あらかじめサーバに登録済みの地域毎受信データベースに対し受信機が地域指定することで設置地域の受信可能チャンネルデータをダウンロードし受信機に設定するチャンネル設定登録システムが記載されている。
【特許文献１】特開平５−２５９８１９号公報
【特許文献２】特開平６−７７７７９号公報
【特許文献３】特開平１０−２５７４０２号公報
【発明の開示】
【発明が解決しようとする課題】
【０００７】
しかしながら、このような従来の地上波デジタル放送受信機にあっては、以下に述べる理由から、地上波デジタル放送受信機の受信可能チャンネルを容易かつ正確に設定することが困難であるという問題点があった。
【０００８】
例えば、あらかじめ受信機内部で地域の受信可能チャンネルデータを保持している場合には、放送局の周波数変更、又は、放送エリアの越境受信等、設計当初の想定外の用法に対応することが困難である。
【０００９】
また、受信機で受信可能周波数域をスキャンすることでのみ受信可能チャンネルを設定する場合には、設定後に新設された放送局を検出することが困難である。
【００１０】
また、サーバから地域情報に基づく受信可能チャンネルデータのダウンロードのみによる受信機設定では、サーバ内のデータを実運用に即したものとするためには、きめ細かなフィールドテスト等を頻繁に行う必要が有り、常にデータを最新の物に維持しつづけることは困難である。
【００１１】
本発明は、このような課題に鑑みてなされたものであって、より確実、かつ容易に、デジタル放送受信機の受信可能チャンネル自動設定をすることができるデジタル放送受信機、受信チャンネル設定システム、受信チャンネル設定方法及び受信チャンネル設定プログラムを記録した記録媒体を提供することを目的としている。
【課題を解決するための手段】
【００１２】
本発明のデジタル放送受信機は、デジタル放送を受信するデジタル放送受信機において、デジタル放送信号の受信状況を検出する受信状況検出手段と、検出した前記受信状況データを保存する保存手段と、前記保存手段に保存された前記受信状況データを含むデータを、放送局及び受信局に関するデータベースとして蓄積する集計センタに送信する送信手段とを備えることを特徴としている。これにより、デジタル放送受信機側では、特にデジタル放送受信機を新たに設置する場合などに、実際に受信状況調査を行うことなく、集計センタから送信された受信可能放送局データ等を基に受信可能放送局を更新・設定することができ、アンテナ調整を行うことができる。集計センタ側では、予め蓄積しているデータベースを基にデジタル放送受信機に最新詳細情報を送信することで該デジタル放送受信機のユーザの受信可能チャンネル自動設定の便宜を図ることが可能になる。また、各デジタル放送受信機からの受信状況データを受信するのでデータベースを最新のデータに更新することができる。
【００１３】
さらに、前記集計センタから受信可能な放送局データを受信する受信手段を備えることで、実際に受信状況調査を行うことなく放送局データを更新・設定することができる。
【００１４】
前記保存手段は、自機の設置場所及び機種情報を示す受信条件データと、前記受信手段により受信した前記放送局データとを保存するものであってもよい。
前記保存手段は、受信機本体から着脱可能な記録媒体を有し、前記記憶媒体にデータを保存するものであってもよい。
【００１５】
より好ましい具体的な態様として、前記送信手段は、インターネット等のネットワーク、又は電話回線によりデータを前記集計センタに送信する。この場合、集計センタと受信機の通信に暗号化、電子認証等を実施するようにすれば、デジタル放送受信機所有者の個人情報漏洩を防ぐことができる。
【００１６】
また、前記送信手段は、近隣に設置された他のデジタル放送受信機にデータを転送するローカル転送手段を備え、前記ローカル転送手段は、前記保存手段に保存されたデータを前記他のデジタル放送受信機に転送するものであることで、集計センタへ接続することができない受信機でも最新の受信可能放送局を設定を行うことが可能となる。
【００１７】
さらに、前記保存手段に保存されたデータを表示又は音声によりユーザに通知する通知手段を備えることで、集計センタとの通信結果、受信機内部設定の変更結果を視聴者に通知することができる。
【００１８】
より好ましい具体的な態様として、前記通知手段は、前記保存手段に保存されたデータに基づいてユーザに受信可能放送局に対する最適なアンテナ方向を通知することで、ユーザはどの方向にアンテナを向ければよいかを容易に知ることができる。
【００１９】
また、前記受信状況検出手段は、ユーザ設定による実行タイミング、又は外部からの要求に応える実行タイミングで受信状況を検出することで、視聴者の使用を妨げないように自動的に、ユーザ設定の任意時刻時間帯もしくはセンタ側からの要求時刻時間帯、に定期不定期的に処理を行うことができる。
【００２０】
より好ましい具体的な態様として、前記受信状況は、受信周波数、受信時刻、受信電波の電界強度、エラーレート、又は放送局名を含むものである。
前記デジタル放送信号は、地上波デジタル放送信号であってもよい。
【００２１】
本発明の受信チャンネル設定システムは、デジタル放送を受信するデジタル放送受信機と、前記デジタル放送受信機が保存するデータを集計する集計センタとからなる受信チャンネル設定システムであって、前記集計センタは、放送局及び受信局に関するデータを蓄積するデータベースを備え、前記デジタル放送受信機は、デジタル放送信号の受信状況を検出する受信状況検出手段と、検出した前記受信状況データを保存する保存手段と、前記保存手段に保存された前記受信状況データを含むデータを前記集計センタに送信する送信手段と、前記集計センタから受信可能な放送局データを受信する受信手段とを備えることを特徴としている。
【００２２】
前記集計センタは、前記デジタル放送受信機に対して前記受信状況検出を要求することで、前記デジタル放送受信機は、集計センタから要求される任意の放送局の受信状況を自動で調査することができる。
【００２３】
前記集計センタは、前記デジタル放送受信機に対して前記保存手段に保存されたデータ送信を要求することが好ましい。
【００２４】
前記集計センタは、前記デジタル放送受信機に対して受信可能な放送局データを送信することが好ましい。
【００２５】
前記集計センタは、前記デジタル放送受信機からの前記放送局データ送信要求を受付けることが好ましい。集計センタ側で任意にデータを追加、削除、加工することが可能になる。
【００２６】
より好ましい具体的な態様として、前記集計センタは、前記デジタル放送受信機からの前記放送局データ送信要求を受付けるとともに、該デジタル放送受信機の設置場所に該当するデータがない場合、該デジタル放送受信機の設置場所に近い近隣設置受信機のデータ、又は近隣の放送局所在地を基に受信可能な放送局データを推測し、該推測したデータを前記デジタル放送受信機に送信する。これにより、デジタル放送受信機からの放送局データ要求時に、該デジタル放送受信機が設置された場所に相当するデータがない場合であっても、受信機設置場所と、集計済みの近隣設置受信機のデータ、近隣の放送局所在地を基に受信可能な放送局データを推測し、この放送局データを要求デジタル放送受信機に送信することができる。
【００２７】
前記集計センタのデータベースは、地形データを含む地図データを蓄積することで、受信に影響を与える山や大規模構造物などを加味したデータの集計及び処理が可能になり、またこの地形データを反映させた受信可能放送局データをデジタル放送受信機に送信することが可能になる。
【００２８】
本発明の受信チャンネル設定方法は、デジタル放送受信機の受信チャンネル設定方法であって、前記デジタル放送受信機では、デジタル放送信号の受信状況を検出するステップと、前記検出した受信状況、受信条件データ及び受信可能な放送局データを保存するステップと、前記保存されたデータを集計センタに送信するステップと、前記集計センタからのデータを受信して前記保存された放送局データを更新するステップと、前記更新された放送局データに基づいて、ユーザに受信可能放送局に対する最適なアンテナ方向を通知するステップとを有することを特徴としている。
【００２９】
別の観点から、本発明は、デジタル放送受信機の受信チャンネル設定方法であって、前記デジタル放送受信機では、デジタル放送信号の受信状況を検出するステップと、前記検出した受信状況、受信条件データ及び受信可能な放送局データを保存するステップと、前記保存されたデータを集計センタに送信するステップと、前記集計センタからのデータを受信して前記保存された放送局データを更新するステップと、前記更新された放送局データに基づいて、ユーザに受信可能放送局に対する最適なアンテナ方向を通知するステップとをコンピュータに実行させるためのプログラムを記録したことを特徴とするコンピュータ読み取り可能な記録媒体である。
【００３０】
また、本発明は、上記デジタル放送受信機が備える各手段をコンピュータに実行させるためのプログラムである。
【発明の効果】
【００３１】
以上、詳述したように、本発明によれば、より確実、かつ容易に、デジタル放送受信機の受信可能チャンネル自動設定をすることができる。
【発明を実施するための最良の形態】
【００３２】
以下、添付図面を参照しながら本発明の好適なデジタル放送受信機の実施の形態について詳細に説明する。
【００３３】
図１は、本発明の実施の形態のデジタル放送受信機の構成を示す図である。本実施の形態に係るデジタル放送受信機は、ＡＶネットワークシステムとして例えば地上波デジタル放送の電波を受信可能な地上波デジタル放送受信機能を備えたテレビジョン受信機に適用することができる。
【００３４】
図１において、地上波デジタル放送受信機１００は、地上波系アンテナ１、ＢＳチューナを含むチューナ等からなるチューナ部２、復調回路３、誤り訂正部４、映像信号，音声信号，データ信号に分けるトランスポートデコーダ５、ＭＰＥＧ（Moving Picture Experts Group）デコーダ６、ＯＳＤ（オン・スクリーン・ディスプレイ）表示部７（通知手段）、ビデオエンコーダ８、音声ＤＡＣ９、ＣＰＵ１０（受信状況検出手段）、制御プログラムや固定データ等を記憶するＲＯＭ１１、ＣＰＵ１０の実行・作業用記憶領域であるＲＡＭ１２、電気的に書換可能な不揮発性メモリであるＥＥＰＲＯＭ（electrically erasable programmable ROM），電源バックアップされたＲＡＭ等からなる不揮発性補助記憶装置１３（保存手段）、入出力インターフェース（Ｉ／Ｆ）１４、入力Ｉ／Ｆ１５、ＬＡＮ（Local Area Network）ポート１６（送信手段，ローカル転送手段）、及びモデムポート１７（送信手段）を備えて構成される。モデムポート１７は、インターネット又は専用回線からなるインターネット網１８を経由して集計センタ２０に接続され、また公衆電話網である電話回線１９を介して集計センタ２０に接続される。
【００３５】
集計センタ２０は、放送局等に設置され、受信状況調査結果、受信機設置場所、受信機機種等の受信条件データ及び受信可能な放送局データなど、放送局及び受信局に関するデータをデータベースとして蓄積する。
【００３６】
上記チューナ部２、復調回路３及び誤り訂正部４は、フロントエンド部１１０を構成し、上記トランスポートデコーダ５は、トランスポート部１２０を構成する。また、上記ＭＰＥＧデコーダ６、ＯＳＤ表示部７、ビデオエンコーダ８及び音声ＤＡＣ９は、ＭＰＥＧデコード部１３０を構成し、各部はＣＰＵ１０によって制御される。
【００３７】
ＯＳＤ表示部７は、チャンネル、音量、設定情報、時刻などの情報及びメニューや電子番組表（ＥＰＧ（Electrical Program Guide）に基づく番組表）を表示部（図示略）の画面上に表示する。デジタルテレビジョン受信機等の映像装置では、受信状況、時刻、音量などの情報を画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素が入力画像などの原画像の上に重畳される。
【００３８】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００３９】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００４０】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００４１】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００４２】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００４３】
また、ＭＰＥＧデコード部１３０は、ＣＰＵ１０によって制御され、ＣＰＵ１０に対して動作状況（例えば、受信周波数、受信強度、エラーレート等）を通知する。
【００４４】
ＣＰＵ１０は、地上波デジタル放送受信機１００全体の制御を行うとともに、フロントエンド部１１０、トランスポート部１２０及びＭＰＥＧデコード部１３０を制御して動作状況を把握し、地上波デジタル放送信号の受信状況を検出する受信状況検出処理と、検出した受信状況データを不揮発性補助記憶装置１３に保存する保存処理を実行する。また、モデムポート１７を制御して不揮発性補助記憶装置１３に保存された受信状況データや自機の設置場所及び機種情報を示す受信条件データを集計センタ２０に送信し、また集計センタ２０から受信調査要求や受信可能局情報を受信する通信処理を実行する。また、ＬＡＮポート１６を制御して近隣に設置された他のデジタル放送受信機に受信可能放送局データを転送する、又は受け取るローカル転送処理を実行する。さらに、ＯＳＤ表示部７を制御して不揮発性補助記憶装置１３に保存された受信可能放送局データ等をＯＳＤ表示してユーザに通知する通知処理を実行する。
【００４５】
不揮発性補助記憶装置１３は、電源ＯＦＦ以降、次回電源ＯＮまで保持しなければならない作業データ、補助プログラムなどが格納される。この不揮発性補助記憶装置１３は、本体から取り外しが可能なカード型外部拡張記憶媒体であってもよい。この記憶媒体は、例えば小型ハードディスクドライブ（ＨＤＤ）等のディスク装置のほか、電源バックアップにより書き込まれた情報を保持するＳＲＡＭ（Static RAM）カードや電源バックアップが不要なフラッシュメモリ等からなるコンパクトフラッシュ（ＣＦ）、スマートメディア、メモリスティック等である。
【００４６】
入出力Ｉ／Ｆ１４は、ＩｒＤＡ（Infrared Data Association）による赤外線データ通信やＵＳＢ（Universal Serial Bus）などを使用した有線通信により外部周辺機器と通信を行う。
【００４７】
入力Ｉ／Ｆ１５は、十字キー，テンキーなどを備えるキー入力部やリモコン装置などの操作入力部（図示略）などが接続され、ユーザからのキー操作情報を受付ける。
【００４８】
ＬＡＮポート１６は、ＡＶネットワークシステムを構成する他のＡＶ機器とローカル通信を行うとともに、モデムポート１７への接続を行う。ＬＡＮポート１６は、グループユーザが持つＡＶ機器との間でデータを送受信するもので、専用回線であるキャリア網を経由してキャリアサーバに接続されるキャリアは勿論のこと、キャリア以外の電波を送受信して無線通信を行うBluetooth、ＵＷＢ（Ultra Wideband）、無線ＬＡＮでもよい。
【００４９】
モデムポート１７は、前述したようにインターネット又は専用回線からなるインターネット網１８を経由して集計センタ２０に接続され、また公衆電話網である電話回線１９を介して集計センタ２０に接続される。
【００５０】
インターネット網１８は、移動体通信網、公衆電話網、ＬＡＮやインターネットなどから構成するネットワークであり、有線系又は無線系などネットワークの種類とプロトコルの種類は特に問わない。また、ネットワークのアクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）／ＶＤＳＬ（Very high data rate Digital Subscriber Line）等の大容量回線が利用可能である。
【００５１】
以下、上述のように構成された地上波デジタル放送受信機１００及び集計センタ２０の動作を説明する。
【００５２】
まず、地上波デジタル放送受信機１００の全体動作について述べる。
地上波系アンテナ１で受信された信号波はフロントエンド部１１０に入力され、受信信号波の中からチューナ部２により受信すべき放送周波数を選局し、復調回路３によりデジタル信号であるＭＰＥＧトランスポート・ストリーム信号（ＭＰＥＧ−ＴＳ信号）への変換を行い、誤り訂正部４で誤りデータを訂正を行う。誤り訂正されたＭＰＥＧ−ＴＳ信号はトランスポート部１２０に入力され、トランスポート部１２０のトランスポータデコーダ５では、ＭＰＥＧ−ＴＳ信号をパケット化されたＭＰＥＧエレメンタルストリーム（ＭＰＥＧ−ＰＥＳ）に変換してＭＰＥＧデコード部１３０に渡す。
【００５３】
ＭＰＥＧデコード部１３０のＭＰＥＧデコーダ６では、ＭＰＥＧ−ＰＥＳを復号化し、復号化した映像データをビデオエンコーダ８によりエンコードして映像出力として出力する。また、復号化した音声データは音声ＤＡＣ９を経由して音声出力する。また、ＯＳＤ表示部７は、ＣＰＵ１０からの指示によりチャンネル、音量、設定情報、時刻などの情報を表示画面上に表示する。
【００５４】
次に、地上波デジタル放送受信機１００の受信チャンネル設定方法について述べる。
図２は、地上波デジタル放送受信機１００と集計センタ２０で管理されるデータと、地上波デジタル放送受信機１００と集計センタ２０間の通信を示す制御シーケンス図である。
【００５５】
図２において、地上波デジタル放送受信機１００は、地上波系アンテナ１及び受信部１４０（受信状況検出手段の一部）を備え、ＣＰＵ１０の指示に従って不揮発性補助記憶装置１３に、以下に述べる各情報、すなわち受信可能放送局情報１５０、受信局情報１６０及び受信機チャンネル設定情報１７０を記憶する。なお、上記受信部１４０は、図１のフロントエンド部１１０、トランスポート部１２０及びＭＰＥＧデコード部１３０を総称して示すものである。
【００５６】
地上波デジタル放送受信機１００は、集計センタ２０から送信された受信可能局情報及び放送局位置情報を受信して受信可能放送局情報１５０として不揮発性補助記憶装置１３（図１参照）に保存する。受信可能放送局情報１５０には、周波数，局名，ＣＨ番号などの局情報と、所在位置，方向などの局位置情報とがある。
【００５７】
また、地上波デジタル放送受信機１００は、受信部１４０により受信したデータ及び保存されている受信可能放送局情報１５０を基に受信局情報１６０を作成し不揮発性補助記憶装置１３に保存する。受信局情報１６０には、周波数，局名，ＣＨ番号などの局情報と、受信強度，エラーレート，受信時刻などの受信状況情報とがある。
【００５８】
また、地上波デジタル放送受信機１００は、受信局情報１６０を基に受信機チャンネル設定情報１７０を作成し、この受信機チャンネル設定情報１７０により受信部１４０を制御するとともに、作成した受信機チャンネル設定情報１７０を不揮発性補助記憶装置１３に保存する。
【００５９】
さらに、地上波デジタル放送受信機１００は、集計センタ２０からの要求に従って又は任意のタイミングで集計センタ２０に対して設置場所情報を送信する。特に、集計センタ２０からの受信調査要求を受付けると、任意の受信周波数に対する受信調査時刻、受信強度、エラーレート、放送局名などの受信状況を調査し、調査した受信状況調査結果、受信機設置場所、受信機機種等の受信条件データ及び受信可能な放送局データを、実測受信情報として集計センタ２０に送信する。
【００６０】
上記受信調査要求及び各情報は、専用通信網又はインターネット網１８のネットワーク、又は電話回線１９を使用して地上波デジタル放送受信機１００と集計センタ２０との間で任意のタイミングで送受信される。これにより、地上波デジタル放送受信機１００及び集計センタ２０の、各々において要求するデータを取得することができ、地上波デジタル放送受信機１００及び集計センタ２０のデータを更新することができる。
【００６１】
一方、集計センタ２０は、所在地、局名、ＣＨ番号、送信周波数及び出力などを格納する放送局データベース２１０と、所在地、受信周波数及び受信強度を格納する受信局データベース２２０と、放送局の存在場所を示す地図情報を格納する地図データベース２３０とを備える。地図データベース２３０は、山や大きな構造物等の電波障害を与える可能性のある地形・地図データを格納する。
【００６２】
次に、地上波デジタル放送受信機１００と集計センタ２０間の通信動作について説明する。
まず、地上波デジタル放送受信機１００は、集計センタ２０からの要求に従って又は任意のタイミングで集計センタ２０に対して設置場所情報を送信する。ここでは、地上波デジタル放送受信機１００が、例えば新規に設置されたとき、該受信機１００の設置場所情報と機種情報をインターネット網１８のネットワーク、又は電話回線１９を使用して集計センタ２０に送信する（番号３０１）。
【００６３】
集計センタ２０は、設置場所情報及び機種情報を受信し、該設置場所情報及び機種情報を送信した地上波デジタル放送受信機１００に対して該地上波デジタル放送受信機１００が受信可能な局情報及び放送局位置情報を送信する（番号３０２，３０３）。
【００６４】
集計センタ２０は、地上波デジタル放送受信機１００から送信された設置場所及び機種情報に基づいて放送局データベース２１０、受信局データベース２２０及び地図データベース２３０にアクセスし、該設置場所情報及び機種情報を送信した地上波デジタル放送受信機１００が受信可能な局情報及び放送局位置情報を取り出す。各データベース２１０，２２０，２３０に、地上波デジタル放送受信機１００の設置場所に該当するデータが蓄積されていない場合、該地上波デジタル放送受信機１００の設置場所に近い近隣設置受信機のデータ、又は近隣の放送局所在地を基に受信可能な放送局データを推測し、推測したデータを地上波デジタル放送受信機１００に送信する。本実施の形態では、前記受信可能局情報と放送局位置情報を地上波デジタル放送受信機１００に送信しているがいずれか一方であってもよい。各データベース２１０，２２０，２３０の構築手段は任意でありどのような形式であってもよい。さらに、地上波デジタル放送受信機１００への受信可能局情報等の送信タイミングは、地上波デジタル放送受信機１００側から送信要求時間帯の指定があればその時間帯に、なければ視聴者の使用を妨げない時間帯に（例えば、夜中に自動的に）送信することが好ましいが、これに限定されるものではない。また、ユーザ設定の任意時刻時間帯もしくはセンタ側からの要求時刻時間帯のほか、定期不定期的に処理を行う態様でもよい。
【００６５】
受信可能局情報及び放送局位置情報を受信した地上波デジタル放送受信機１００では、受信した受信可能局情報及び放送局位置情報を受信可能放送局情報１５０として不揮発性補助記憶装置１３に保存する。これにより、地上波デジタル放送受信機１００では、集計センタ２０から受信可能放送局を受信して保存することで、実際に受信状況調査を行うことなく受信可能放送局を更新・設定することができ、各地における受信可能放送局情報の詳細、かつ、最新の実状況を把握することが可能となる。また、この受信可能放送局情報は受信部１４０に送られ、受信可能放送局情報をＯＳＤ表示又は音声によりユーザに通知する。例えば、受信可能放送局のチャンネル番号や最適なアンテナ方向を通知する。お知らせ表示の一例については図３及び図４により後述する。
【００６６】
また、集計センタ２０は、地上波デジタル放送受信機１００に対して受信状況検出を要求（受信調査要求）することができる（番号３０４）。
【００６７】
地上波デジタル放送受信機１００では、周波数，局名，ＣＨ番号などの局情報と、受信強度，エラーレート，受信時刻などの受信状況情報から受信状況を実測し、受信局情報１６０として不揮発性補助記憶装置１３に保存するとともに、任意のタイミングで検出した実測受信情報を集計センタ２０に送信する（番号３０５）。この実測受信情報は、集計センタ２０からの要求を受けて視聴者の使用を妨げない時刻時間帯に送信する態様でもよい。集計センタ２０では、放送局位置、受信機設置位置、地形データ、実測データを基に実測により得られた信頼性の高いデータにより放送局データベース２１０及び受信局データベース２２０のデータを更新することができ、最新詳細情報を随時利用することが可能となる。なお、集計センタ２０側では任意にデータを追加、削除、加工することができることは言うまでもない。
【００６８】
図３は、地上波デジタル放送受信機１００における、新規放送局への自動対応のお知らせ画面を示す図である。
【００６９】
地上波デジタル放送受信機１００側の情報（視聴可能放送局）が更新されたとき、例えば図３に示すユーザ通知メッセージが表示画面にＯＳＤ表示される。ここでは、お知らせ画面３０は、「以下の放送局が受信可能となりました。  ※※※ＴＶ  ＣＨ番号ＸＸＸに登録しました」などのユーザ通知メッセージ３１と、その確認ダイヤグラムボックス３２とがＯＳＤ表示される。なお、表示位置や表示形態は図３、後述する図４及び図５に限定されるものではない。例えば、複数の放送局の中から視聴可能放送局をフラッシング表示する、色識別で表示する態様でもよい。さらに、発音装置としてＯＳＤ表示部７からの出力信号をデジタル信号処理する音声コーデック（出力手段の一部）を設置する構成でもよい。音声コーデックは、ＰＣＭ（Pulse Code Modulation）音源ＩＣ等により構成され、ＯＳＤ表示部７から受け取った信号を音声信号に変換してスピーカから出力する。例えば、「※※※ＴＶ放送局が受信可能となりました。  ＣＨ番号ＸＸＸに登録しました。」などと、あらかじめ録音しておいた実際の人間の音声データを発音する。
【００７０】
図４は、地上波デジタル放送受信機１００における、集計センタ２０からのデータを使用したアンテナ調整準備画面を示す図である。
【００７１】
図４に示すように、アンテナ調整用メニュー画面４０は、視聴可能放送局情報４１、実行ダイヤグラムボックス４２、及び終了ダイヤグラムボックス４３をＯＳＤ表示する。
【００７２】
視聴可能放送局情報４１は、地上波デジタル放送受信機１００の設置地域において受信可能性がある放送局の、放送局名、登録ＣＨ、推定受信状態、及び前回調整後の受信状態を表示する。この視聴可能放送局情報４１は、地上波デジタル放送受信機１００の不揮発性補助記憶装置１３に保持されている情報と、集計センタ２０により更新された情報に基づく視聴可能放送局、及び前回アンテナ調整実施時の情報を表示する。
【００７３】
図５は、地上波デジタル放送受信機１００における、集計センタ２０からのデータを使用したアンテナ調整画面を示す図である。
【００７４】
図５に示すように、アンテナ調整用表示画面５０は、受信ＣＨとその放送局名、受信強度を数値及びスケール表示する表示領域５１、設置場所からのおおよその方位を示す方位画面５２、及び終了ダイヤグラムボックス５３をＯＳＤ表示する。
【００７５】
表示領域５１には、視聴希望する放送局に対するアンテナ調整の指針を集計センタ２０からの方位情報、及び地上波デジタル放送受信機１００によって実際に計測された受信強度を表示する。
【００７６】
以上のように、本実施の形態の地上波デジタル放送受信機１００は、地上波系アンテナ１、フロントエンド部１１０、トランスポート部１２０、ＭＰＥＧデコード部１３０、ＣＰＵ１０、不揮発性補助記憶装置１３、ＬＡＮポート１６、及びモデムポート１７を備え、ＣＰＵ１０は、地上波デジタル放送信号の受信状況を検出する受信状況検出処理と、検出した受信状況データを不揮発性補助記憶装置１３に保存する保存処理、不揮発性補助記憶装置１３に保存された受信状況データや自機の設置場所及び機種情報を示す受信条件データを集計センタ２０に送信し、また集計センタ２０から受信調査要求や受信可能局情報を受信する通信処理を実行するので、より確実、かつ容易に、地上波デジタル放送受信機の受信可能チャンネル自動設定をすることができ、地上波デジタル放送受信機のアンテナ調整に適用して好適である。
【００７７】
例えば、現在、地上波ＴＶ放送のデジタル化が予定されているが、デジタルへの移行後も周波数帯の有効利用に伴う放送周波数の変更、新規放送事業者の参入などが想定されているため、受信可能放送局を受信機に設定することが頻繁に発生する可能性がある。また、従来の地上波（アナログ）ＴＶでは、当初の放送局の運用としては想定外の放送エリアの越境受信などが一部地域で多く行われており、従来の受信可能放送局設定方式では、効率の良い対応ができない状況である。これはそのままデジタル化へ移行した場合にも同様であり、デジタル移行途中では特に大きな問題になると考えられる。
【００７８】
本地上波デジタル放送受信機１００によれば、実際の受信状況を検出し保存するとともに、検出した受信状況を集計センタ２０へ送信する機能を持たせることで、集計センタ２０側では各地における受信可能放送局情報の詳細、かつ、最新の実状況を把握することができる。集計センタ２０では、各地域における地上波デジタルテレビ放送の受信状況調査をすることが可能になるため、広範なデータを集計してデータベースの質の向上を図ることができる。
【００７９】
また、集計センタ２０側からの受信可能放送局情報等を受信し保存することで、地上波デジタル放送受信機１００側では放送局位置、受信機設置位置、地形データ、実測データを基に集計センタ２０で生成された最新詳細情報を随時利用することができる。特に、地上波デジタル放送受信機１００を新規に設置する場合や設置場所を変更した場合など、実際に受信状況調査を行うことなく受信可能放送局を更新・設定することができる。
【００８０】
また、地上波デジタル放送受信機１００では、放送休止時間中、及び、アンテナ設置前でもその設置地域で受信可能な放送局を設定することできる。また、新規放送局が受信可能であることを速やかに通知し、各放送局の周波数が変更になった場合でも、速やかにデジタル放送受信機の設定の更新が可能となる。
【００８１】
また、視聴者の使用を妨げないように自動的に、ユーザ設定の任意時刻時間帯もしくはセンタ側からの要求時刻時間帯に定期不定期的に処理を行っているので、視聴を妨げずに、受信状況調査、設定更新が可能となる。新規地域での購入直後でも受信機の大まかな設定も可能である。
【００８２】
本実施の形態では、地形データをも加味したデータの集計及び処理を行っているので、放送局との単純な距離のみでなく、地形的な障害物を考慮した受信可能放送局の推測が可能となる。
【００８３】
また、集計センタ２０からの、地上波デジタル放送受信機１００へのデータ及び調査要求の送信に関して放送局からの放送電波を使用するようにすれば、受信機が常時回線接続可能な状態でなくても集積センタからのデータ又は要求の送信が可能となる。
【００８４】
本実施の形態では、集計センタ２０との通信結果、受信機内部設定の変更結果を視聴者に表示又は音声により通知するので、視聴者に対し新規受信可能放送局があることや、受信機の設定が更新されたことを速やかに知らせることができる。同様に、集計センタ２０からの受信可能局データと設置位置から各受信可能放送局に対する最適なアンテナ方向を視聴者に通知するようにしているので、アンテナの設置が容易になる。
【００８５】
また、集計センタ２０と地上波デジタル放送受信機１００の通信に暗号化、電子認証等を使用すれば、安価な汎用的インフラを使用しつつ、個人情報も保護可能なため、より詳細な情報の収集を安全に行うことができる。
【００８６】
本実施の形態では、受信可能放送局データをメモリカードなどの外部メディアを介して他の受信機にデータ転送する、あるいはＬＡＮ，赤外線通信、無線通信、等のローカルなデータ転送手段を用いて他の受信機にデータ転送することで、同一アンテナを共有、もしくは、近隣に設置又は設置予定の受信機に対して集計センタ２０にアクセスさせることなく、最新の受信可能放送局データを設定することができ、集計センタへ接続することができない受信機でも最新の受信可能放送局を設定を行うことが可能となる。
【００８７】
また、本実施の形態では、集計センタ２０と地上波デジタル放送受信機１００の通信に電話回線、インターネット回線等を使用しているので、デジタルＴＶなどの回線接続機能を既に備える受信機に対しハードウェアの変更なしに機能追加が可能となる。
【００８８】
したがって、かかる特徴を有するデジタル放送受信機を、アンテナ調整や受信可能放送局設定が必要な地上波デジタル放送受信機に適用して好適である。また、同様の方法により各局の番組視聴率調査に使用することも可能である。
【００８９】
なお、上記実施の形態に係る地上波デジタル放送受信機は、装置単体としては勿論のこと、テレビジョン受信機等の視聴機器や録画機器に組み込まれた装置であってもよい。例えば、地上波デジタル放送受信機能を備えるパーソナルコンピュータや、デジタル放送受信機、表示機器、録画機器が一体となった構造なども考えられる。
【００９０】
また、図２乃至図５のお知らせ画面は一例であり、どのような通知方法でも構わない。また、デジタル放送受信機の操作は、本体の直接操作のほかリモコンにより行うものが一般的である。
【００９１】
また、本実施の形態ではデジタル放送受信機、集計センタ、受信チャンネル設定システム及び受信チャンネル設定方法という名称を用いたが、これは説明の便宜上であり、受信チャンネル自動設定装置、受信環境制御方法等であってもよいことは勿論である。集計センタは、例えばサーバ、放送局という名称でもよい。
【００９２】
さらに、上記地上波デジタル放送受信機を構成する各回路部、例えば記憶装置等の種類、数及び接続方法などは前述した実施の形態に限られない。
【００９３】
以上説明した地上波デジタル放送受信機は、この地上波デジタル放送受信機を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００９４】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００９５】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【００９６】
【図１】本発明の実施の形態の地上波デジタル放送受信機の構成を示す図である。
【図２】本実施の形態の地上波デジタル放送受信機と集計センタで管理されるデータと通信を示す制御シーケンス図である。
【図３】本実施の形態の地上波デジタル放送受信機における、新規放送局への自動対応のお知らせ画面を示す図である。
【図４】本実施の形態の地上波デジタル放送受信機における、集計センタからのデータを使用したアンテナ調整準備画面を示す図である。
【図５】本実施の形態の地上波デジタル放送受信機における、集計センタからのデータを使用したアンテナ調整画面を示す図である。
【符号の説明】
【００９７】
１  地上波系アンテナ
２  チューナ部
３  復調回路
４  誤り訂正部
５  トランスポートデコーダ
６  ＭＰＥＧデコーダ
７  ＯＳＤ表示部（通知手段）
８  ビデオデコーダ
９  音声ＤＡＣ
１０  ＣＰＵ（受信状況検出手段）
１１  ＲＯＭ
１２  ＲＡＭ
１３  不揮発性補助記憶装置（保存手段）
１４  入出力Ｉ／Ｆ
１５  入力Ｉ／Ｆ
１６  ＬＡＮポート（送信手段，ローカル転送手段）
１７  モデムポート（送信手段）
１８  インターネット網
１９  電話回線
２０  集計センタ
４０  アンテナ調整用メニュー画面
５０  アンテナ調整用表示画面
１００  地上波デジタル放送受信機
１１０  フロントエンド部
１２０  トランスポート部
１３０  ＭＰＥＧデコード部
１４０  受信部（受信状況検出手段の一部）
１５０  受信可能放送局情報
１６０  受信局情報
１７０  受信機チャンネル設定情報
２１０  放送局データベース
２２０  受信局データベース
２３０  地図データベース
【図１】
2005252965.tif 000003
【図２】
2005252965.tif 000004
【図３】
2005252965.tif 000005
【図４】
2005252965.tif 000006
【図５】
2005252965.tif 000007